【手続補正書】
【提出日】平成25年7月9日(2013.7.9)
【手続補正１】
【補正対象書類名】特許請求の範囲
【補正対象項目名】全文
【補正方法】変更
【補正の内容】
【特許請求の範囲】
【請求項１】
電動注入器シリンジアセンブリであって、該アセンブリは、
シリンジバレル、シリンジフランジ、およびプランジャを備える電動注入器シリンジであって、該プランジャは、該シリンジバレルに対して移動可能であり、そして該シリンジバレル内に配置されるプランジャヘッドを備える、電動注入器シリンジと、
電動注入器シリンジマウントに着脱可能に接続可能な連結器と、
保持リングであって、該連結器は、該保持リングを使用して該電動注入器シリンジに装着される、保持リングと
を備える、アセンブリ。
【請求項２】
電動注入器シリンジアセンブリであって、該アセンブリは、
シリンジバレル、および該シリンジバレルに対して移動可能なプランジャを備える電動注入器シリンジであって、該プランジャは、該シリンジバレル内に配置されるプランジャヘッドを備える、電動注入器シリンジと、
電動注入器シリンジマウントに着脱可能に接続可能な連結器であって、該連結器と該電動注入器シリンジとは、恒久的に接合される、連結器と
を備える、アセンブリ。
【請求項３】
前記連結器は、前記電動注入器シリンジに恒久的に接合される、請求項１に記載の電動注入器シリンジアセンブリ。
【請求項４】
前記連結器と前記電動注入器シリンジとの間の恒久的な接続は、ＲＦ溶接、音波溶接、接着、熱かしめ、超音波溶接、スナップ式接続、締り嵌め、機械的締結具、またはそれらの任意の組み合わせから成る群から選択される、請求項２〜３のうちのいずれかに記載の電動注入器シリンジアセンブリ。
【請求項５】
前記連結器は、該連結器および前記電動注入器シリンジのうちの少なくとも１つを損傷させることなく該電動注入器シリンジから除去可能ではない、請求項２〜４のうちのいずれかに記載の電動注入器シリンジアセンブリ。
【請求項６】
前記シリンジフランジは、前記連結器の内側に配置される、請求項１、請求項３、請求項３に従属する場合の請求項４、請求項３に従属する場合の請求項５、および請求項４に従属する場合の請求項５のうちのいずれかに記載の電動注入器シリンジアセンブリ。
【請求項７】
前記連結器は、前記電動注入器シリンジの端に配置される、請求項１〜６のうちのいずれかに記載の電動注入器シリンジアセンブリ。
【請求項８】
保持リングをさらに備え、前記連結器は、該保持リングを使用して前記電動注入器シリンジに装着される、請求項２に記載の電動注入器シリンジアセンブリ。
【請求項９】
前記連結器と前記保持リングとは、前記電動注入器シリンジに対して別々に載置される、請求項１および８のうちのいずれかに記載の電動注入器シリンジアセンブリ。
【請求項１０】
前記連結器と前記保持リングとは、前記電動注入器シリンジの前記シリンジフランジの対向表面と界面接触する、請求項１、および請求項１に従属する場合の請求項９のうちのいずれかに記載の電動注入器シリンジアセンブリ。
【請求項１１】
前記連結器、前記保持リング、および前記電動注入器シリンジは、恒久的に接合される、請求項１および８〜１０のうちのいずれかに記載の電動注入器シリンジアセンブリ。
【請求項１２】
前記保持リングは、前記連結器内で延在する、請求項１および８〜１１のうちのいずれかに記載の電動注入器シリンジアセンブリ。
【請求項１３】
前記保持リングは、前記連結器内に配置される第１の部分と、前記連結器の端を越えて配置される第２の部分とを備える、請求項１および８〜１２のうちのいずれかに記載の電動注入器シリンジアセンブリ。
【請求項１４】
前記連結器は、一体構造である、請求項１〜１３のうちのいずれかに記載の電動注入器シリンジアセンブリ。
【請求項１５】
前記連結フランジは、可動部品を欠いている、請求項１〜１４のうちのいずれかに記載の電動注入器シリンジアセンブリ。
【請求項１６】
前記連結器は、連結フランジを備える、請求項１〜１５のうちのいずれかに記載の電動注入器シリンジアセンブリ。
【請求項１７】
前記連結フランジは、環状である、請求項１６に記載の電動注入器シリンジアセンブリ。
【請求項１８】
前記連結フランジは、固定した外径を備える、請求項１６〜１７のうちのいずれかに記載の電動注入器シリンジアセンブリ。
【請求項１９】
前記連結フランジの周囲は、前記連結器の最大外径を画定する、請求項１６〜１８のうちのいずれかに記載の電動注入器シリンジアセンブリ。
【請求項２０】
前記連結フランジは、一体構造である、請求項１６〜１９のうちのいずれかに記載の電動注入器シリンジアセンブリ。
【請求項２１】
前記連結フランジは、円形の周囲を備える、請求項１６〜２０のうちのいずれかに記載の電動注入器シリンジアセンブリ。
【請求項２２】
前記連結フランジの最大厚さは、約０．０１０”〜約０．０２０”の範囲内にある、請求項１６〜２１のうちのいずれかに記載の電動注入器シリンジアセンブリ。
【請求項２３】
前記連結フランジは、円盤状である、請求項１６〜２２のうちのいずれかに記載の電動注入器シリンジアセンブリ。
【請求項２４】
前記連結器は、前記連結フランジの対向側に配置される第１および第２の円筒形区画をさらに備える、請求項１６〜２３のうちのいずれかに記載の電動注入器シリンジアセンブリ。
【請求項２５】
前記第１と第２の円筒形区画とは、前記連結フランジから反対方向に延在し、該第１の円筒形区画は、該連結フランジの電動注入器側にあり、該第２の円筒形区画は、該連結フランジの電動注入器シリンジ側にある、請求項２４に記載の電動注入器シリンジアセンブリ。
【請求項２６】
前記第１と第２の円筒形区画とは、異なる外径を有する、請求項２４〜２５のうちのいずれかに記載の電動注入器シリンジアセンブリ。
【請求項２７】
前記第１の円筒形区画は、前記第２の円筒形区画よりも小さい外径を有する、請求項２６に記載の電動注入器シリンジアセンブリ。
【請求項２８】
前記連結器の周囲に少なくとも１つの装着フランジをさらに備え、前記第１の円筒形区画は、前記連結フランジから該少なくとも１つの装着フランジまで延在する、請求項２４〜２７のうちのいずれかに記載の電動注入器シリンジアセンブリ。
【請求項２９】
前記少なくとも１つの装着フランジは、楔形の断面を備える、請求項２８に記載の電動注入器シリンジアセンブリ。
【請求項３０】
前記少なくとも１つの装着フランジの外径は、前記連結フランジの方向に継続して増大する、請求項２８〜２９のうちのいずれかに記載の電動注入器シリンジアセンブリ。
【請求項３１】
前記少なくとも１つの装着フランジは、カムを備える、請求項２８〜３０のうちのいずれかに記載の電動注入器シリンジアセンブリ。
【請求項３２】
電動注入器であって、該電動注入器は、
請求項２８〜３１のうちのいずれか一項に記載の電動注入器シリンジアセンブリであって、前記連結器は、第１の連結部材をさらに備える、電動注入器シリンジアセンブリと、
モータ付き駆動源を備えるシリンジプランジャドライバと、
シリンジ保持器、およびリンジ保持器アクチュエータを備えるシリンジマウントであって、該シリンジ保持器アクチュエータは、該シリンジ保持器と相互作用し、そして第２の連結部材を備え、前記少なくとも１つの装着フランジは、該シリンジマウントへの該電動注入器シリンジアセンブリの設置中に該シリンジ保持器に係合して拡張させ、該第１と第２の連結部材とは、係合可能であり、該第１と第２の連結部材とが係合されている間の該電動注入器シリンジアセンブリの回転は、該シリンジ保持器を拡張させて、該電動注入器シリンジアセンブリが該シリンジマウントから除去されることを可能にする、シリンジマウントと
を備える、電動注入器。
【請求項３３】
前記シリンジ保持器アクチュエータは、回転可能なリングを備え、該回転可能なリングは、第１のカム作用部材を備える、請求項３２に記載の電動注入器。
【請求項３４】
前記第２の連結部材は、前記回転可能なリングの内壁の周囲に配置される複数の溝を備え、前記第１の連結部材は、前記連結器の周囲に少なくとも１つの突起を備える、請求項３３に記載の電動注入器。
【請求項３５】
前記電動注入器シリンジアセンブリは、該電動注入器シリンジアセンブリを前記シリンジマウントに設置するために、前記シリンジプランジャドライバと一致する軸に沿って移動させられる、請求項３２〜３４のうちのいずれか一項に記載の電動注入器。
【請求項３６】
前記連結器は、少なくとも１つの装着フランジをさらに備える、請求項１〜１５のうちのいずれかに記載の電動注入器シリンジアセンブリ。
【請求項３７】
前記連結器は、前記連結フランジから離間している少なくとも１つの装着フランジをさらに備える、請求項１６〜２３のうちのいずれかに記載の電動注入器シリンジアセンブリ。
【請求項３８】
前記少なくとも１つの装着フランジは、楔形の断面を備える、請求項３６〜３７のうちのいずれかに記載の電動注入器シリンジアセンブリ。
【請求項３９】
前記連結器は、前記電動注入器シリンジの反対側にある電動注入器端を備え、前記少なくとも１つの装着フランジの外径は、該電動注入器端から離れる方向に継続して増大する、請求項３７〜３８のうちのいずれかに記載の電動注入器シリンジアセンブリ。
【請求項４０】
前記少なくとも１つの装着フランジは、カムを備える、請求項３６〜３９のうちのいずれかに記載の電動注入器シリンジアセンブリ。
【請求項４１】
電動注入器であって、該電動注入器は、
請求項３６〜４０のうちのいずれか一項に記載の電動注入器シリンジアセンブリであって、前記連結器は、第１の連結部材をさらに備える、電動注入器シリンジアセンブリと、
モータ付き駆動源を備えるシリンジプランジャドライバと、
シリンジ保持器、およびリンジ保持器アクチュエータを備えるシリンジマウントであって、該シリンジ保持器アクチュエータは、該シリンジ保持器と相互作用し、そして第２の連結部材を備え、前記少なくとも１つの装着フランジは、該シリンジマウントへの該電動注入器シリンジアセンブリの設置中に該シリンジ保持器に係合して拡張させ、該第１と第２の連結部材とは係合可能であり、該第１と第２の連結部材とが係合されている間の該電動注入器シリンジアセンブリの回転は、該シリンジ保持器を拡張させて、該電動注入器シリンジアセンブリが該シリンジマウントから除去されることを可能にする、シリンジマウントと
を備える、電動注入器。
【請求項４２】
前記シリンジ保持器アクチュエータは、回転可能なリングを備え、該回転可能なリングは、第１のカム作用部材を備える、請求項４１に記載の電動注入器。
【請求項４３】
前記第２の連結部材は、前記回転可能なリングの内壁の周囲に配置される複数の溝を備え、前記第１の連結部材は、前記連結器の周囲に少なくとも１つの突起を備える、請求項４２に記載の電動注入器。
【請求項４４】
前記電動注入器シリンジアセンブリは、該電動注入器シリンジアセンブリを前記シリンジマウントに設置するために、前記シリンジプランジャドライバと一致する軸に沿って移動させられる、請求項４１〜４３のうちのいずれか一項に記載の電動注入器。
【手続補正２】
【補正対象書類名】明細書
【補正対象項目名】０００５
【補正方法】変更
【補正の内容】
【０００５】
本発明は、例えば、以下を提供する：
（項目１）
電動注入器シリンジアセンブリであって、該アセンブリは、
シリンジバレル、シリンジフランジ、およびプランジャを備える電動注入器シリンジであって、該プランジャは、該シリンジバレルに対して移動可能であり、そして該シリンジバレル内に配置されるプランジャヘッドを備える、電動注入器シリンジと、
電動注入器シリンジマウントに着脱可能に接続可能な連結器と、
保持リングであって、該連結器は、該保持リングを使用して該電動注入器シリンジに装着される、保持リングと
を備える、アセンブリ。
（項目２）
電動注入器シリンジアセンブリであって、該アセンブリは、
シリンジバレル、および該シリンジバレルに対して移動可能なプランジャを備える電動注入器シリンジであって、該プランジャは、該シリンジバレル内に配置されるプランジャヘッドを備える、電動注入器シリンジと、
電動注入器シリンジマウントに着脱可能に接続可能な連結器であって、該連結器と該電動注入器シリンジとは、恒久的に接合される、連結器と
を備える、アセンブリ。
（項目３）
前記連結器は、前記電動注入器シリンジに恒久的に接合される、項目１に記載の電動注入器シリンジアセンブリ。
（項目４）
前記連結器と前記電動注入器シリンジとの間の恒久的な接続は、ＲＦ溶接、音波溶接、接着、熱かしめ、超音波溶接、スナップ式接続、締り嵌め、機械的締結具、またはそれらの任意の組み合わせから成る群から選択される、項目２〜３のうちのいずれかに記載の電動注入器シリンジアセンブリ。
（項目５）
前記連結器は、該連結器および前記電動注入器シリンジのうちの少なくとも１つを損傷させることなく該電動注入器シリンジから除去可能ではない、項目２〜４のうちのいずれかに記載の電動注入器シリンジアセンブリ。
（項目６）
前記シリンジフランジは、前記連結器の内側に配置される、項目１〜５のうちのいずれかに記載の電動注入器シリンジアセンブリ。
（項目７）
前記連結器は、前記電動注入器シリンジの端に配置される、項目１〜６のうちのいずれかに記載の電動注入器シリンジアセンブリ。
（項目８）
保持リングをさらに備え、前記連結器は、該保持リングを使用して前記電動注入器シリンジに装着される、項目２に記載の電動注入器シリンジアセンブリ。
（項目９）
前記連結器と前記保持リングとは、前記電動注入器シリンジに対して別々に載置される、項目１および８のうちのいずれかに記載の電動注入器シリンジアセンブリ。
（項目１０）
前記連結器と前記保持リングとは、前記電動注入器シリンジの前記シリンジフランジの対向表面と界面接触する、項目１および８〜９のうちのいずれかに記載の電動注入器シリンジアセンブリ。
（項目１１）
前記連結器、前記保持リング、および前記電動注入器シリンジは、恒久的に接合される、項目１および８〜１０のうちのいずれかに記載の電動注入器シリンジアセンブリ。
（項目１２）
前記保持リングは、前記連結器内で延在する、項目１および８〜１１のうちのいずれかに記載の電動注入器シリンジアセンブリ。
（項目１３）
前記保持リングは、前記連結器内に配置される第１の部分と、前記連結器の端を越えて配置される第２の部分とを備える、項目１および８〜１２のうちのいずれかに記載の電動注入器シリンジアセンブリ。
（項目１４）
前記連結器は、一体構造である、項目１〜１３のうちのいずれかに記載の電動注入器シリンジアセンブリ。
（項目１５）
前記連結フランジは、可動部品を欠いている、項目１〜１４のうちのいずれかに記載の電動注入器シリンジアセンブリ。
（項目１６）
前記連結器は、連結フランジを備える、項目１〜１５のうちのいずれかに記載の電動注入器シリンジアセンブリ。
（項目１７）
前記連結フランジは、環状である、項目１６に記載の電動注入器シリンジアセンブリ。
（項目１８）
前記連結フランジは、固定した外径を備える、項目１６〜１７のうちのいずれかに記載の電動注入器シリンジアセンブリ。
（項目１９）
前記連結フランジの周囲は、前記連結器の最大外径を画定する、項目１６〜１８のうちのいずれかに記載の電動注入器シリンジアセンブリ。
（項目２０）
前記連結フランジは、一体構造である、項目１６〜１９のうちのいずれかに記載の電動注入器シリンジアセンブリ。
（項目２１）
前記連結フランジは、円形の周囲を備える、項目１６〜２０のうちのいずれかに記載の電動注入器シリンジアセンブリ。
（項目２２）
前記連結フランジの最大厚さは、約０．０１０”〜約０．０２０”の範囲内にある、項目１６〜２１のうちのいずれかに記載の電動注入器シリンジアセンブリ。
（項目２３）
前記連結フランジは、円盤状である、項目１６〜２２のうちのいずれかに記載の電動注入器シリンジアセンブリ。
（項目２４）
前記連結器は、前記連結フランジの対向側に配置される第１および第２の円筒形区画をさらに備える、項目１６〜２３のうちのいずれかに記載の電動注入器シリンジアセンブリ。
（項目２５）
前記第１と第２の円筒形区画とは、前記連結フランジから反対方向に延在し、該第１の円筒形区画は、該連結フランジの電動注入器側にあり、該第２の円筒形区画は、該連結フランジの電動注入器シリンジ側にある、項目２４に記載の電動注入器シリンジアセンブリ。
（項目２６）
前記第１と第２の円筒形区画とは、異なる外径を有する、項目２４〜２５のうちのいずれかに記載の電動注入器シリンジアセンブリ。
（項目２７）
前記第１の円筒形区画は、前記第２の円筒形区画よりも小さい外径を有する、項目２６に記載の電動注入器シリンジアセンブリ。
（項目２８）
前記連結器の周囲に少なくとも１つの装着フランジをさらに備え、前記第１の円筒形区画は、前記連結フランジから該少なくとも１つの装着フランジまで延在する、項目２４〜２７のうちのいずれかに記載の電動注入器シリンジアセンブリ。
（項目２９）
前記少なくとも１つの装着フランジは、楔形の断面を備える、項目２８に記載の電動注入器シリンジアセンブリ。
（項目３０）
前記少なくとも１つの装着フランジの外径は、前記連結フランジの方向に継続して増大する、項目２８〜２９のうちのいずれかに記載の電動注入器シリンジアセンブリ。
（項目３１）
前記少なくとも１つの装着フランジは、カムを備える、項目２８〜３０のうちのいずれかに記載の電動注入器シリンジアセンブリ。
（項目３２）
電動注入器であって、該電動注入器は、
項目２８〜３１のうちのいずれか一項に記載の電動注入器シリンジアセンブリであって、前記連結器は、第１の連結部材をさらに備える、電動注入器シリンジアセンブリと、
モータ付き駆動源を備えるシリンジプランジャドライバと、
シリンジ保持器、およびリンジ保持器アクチュエータを備えるシリンジマウントであって、該シリンジ保持器アクチュエータは、該シリンジ保持器と相互作用し、そして第２の連結部材を備え、前記少なくとも１つの装着フランジは、該シリンジマウントへの該電動注入器シリンジアセンブリの設置中に該シリンジ保持器に係合して拡張させ、該第１と第２の連結部材とは、係合可能であり、該第１と第２の連結部材とが係合されている間の該電動注入器シリンジアセンブリの回転は、該シリンジ保持器を拡張させて、該電動注入器シリンジアセンブリが該シリンジマウントから除去されることを可能にする、シリンジマウントと
を備える、電動注入器。
（項目３３）
前記シリンジ保持器アクチュエータは、回転可能なリングを備え、該回転可能なリングは、第１のカム作用部材を備える、項目３２に記載の電動注入器。
（項目３４）
前記第２の連結部材は、前記回転可能なリングの内壁の周囲に配置される複数の溝を備え、前記第１の連結部材は、前記連結器の周囲に少なくとも１つの突起を備える、項目３３に記載の電動注入器。
（項目３５）
前記電動注入器シリンジアセンブリは、該電動注入器シリンジアセンブリを前記シリンジマウントに設置するために、前記シリンジプランジャドライバと一致する軸に沿って移動させられる、項目３２〜３４のうちのいずれか一項に記載の電動注入器。
（項目３６）
前記連結器は、少なくとも１つの装着フランジをさらに備える、項目１〜１５のうちのいずれかに記載の電動注入器シリンジアセンブリ。
（項目３７）
前記連結器は、前記連結フランジから離間している少なくとも１つの装着フランジをさらに備える、項目１６〜２３のうちのいずれかに記載の電動注入器シリンジアセンブリ。
（項目３８）
前記少なくとも１つの装着フランジは、楔形の断面を備える、項目３６〜３７のうちのいずれかに記載の電動注入器シリンジアセンブリ。
（項目３９）
前記連結器は、前記電動注入器シリンジの反対側にある電動注入器端を備え、前記少なくとも１つの装着フランジの外径は、該電動注入器端から離れる方向に継続して増大する、項目３７〜３８のうちのいずれかに記載の電動注入器シリンジアセンブリ。
（項目４０）
前記少なくとも１つの装着フランジは、カムを備える、項目３６〜３９のうちのいずれかに記載の電動注入器シリンジアセンブリ。
（項目４１）
電動注入器であって、該電動注入器は、
項目３６〜４０のうちのいずれか一項に記載の電動注入器シリンジアセンブリであって、前記連結器は、第１の連結部材をさらに備える、電動注入器シリンジアセンブリと、
モータ付き駆動源を備えるシリンジプランジャドライバと、
シリンジ保持器、およびリンジ保持器アクチュエータを備えるシリンジマウントであって、該シリンジ保持器アクチュエータは、該シリンジ保持器と相互作用し、そして第２の連結部材を備え、前記少なくとも１つの装着フランジは、該シリンジマウントへの該電動注入器シリンジアセンブリの設置中に該シリンジ保持器に係合して拡張させ、該第１と第２の連結部材とは係合可能であり、該第１と第２の連結部材とが係合されている間の該電動注入器シリンジアセンブリの回転は、該シリンジ保持器を拡張させて、該電動注入器シリンジアセンブリが該シリンジマウントから除去されることを可能にする、シリンジマウントと
を備える、電動注入器。
（項目４２）
前記シリンジ保持器アクチュエータは、回転可能なリングを備え、該回転可能なリングは、第１のカム作用部材を備える、項目４１に記載の電動注入器。
（項目４３）
前記第２の連結部材は、前記回転可能なリングの内壁の周囲に配置される複数の溝を備え、前記第１の連結部材は、前記連結器の周囲に少なくとも１つの突起を備える、項目４２に記載の電動注入器。
（項目４４）
前記電動注入器シリンジアセンブリは、該電動注入器シリンジアセンブリを前記シリンジマウントに設置するために、前記シリンジプランジャドライバと一致する軸に沿って移動させられる、項目４１〜４３のうちのいずれか一項に記載の電動注入器。
本発明の第１の局面は、電動注入器シリンジ、連結器、および保持リングを含む電動注入器シリンジアセンブリによって具現化される。電動注入器シリンジは、シリンジバレル、シリンジフランジ、および（例えば、電動注入器上に設置されたときに、例えば、シリンジから流体を放出するように）シリンジバレルに対して移動可能であるプランジャを含む。連結器は、電動注入器シリンジマウントに着脱可能に接続可能である。また、連結器は、少なくとも保持リングを使用して電動注入器シリンジに装着される。